(57)【要約】【課題】部品の重心等の部品の関係情報を簡単な操作で表示させる。【解決手段】情報表示装置は、表示部と、複数の部品ごとの立体形状データと、複数の部品ごとの少なくとも重心に係る情報を含む関係情報と、複数の部品の組立図が記憶された記憶部と、記憶部から組立図を読出し、表示部に表示する第１表示制御部と、表示部に表示された組立図から複数の部品の一つを選択する選択部と、選択された部品の立体形状に対応づけて関係情報に基づく選択された部品の重心の位置を表示部に表示する第２表示制御部と、を備える。【選択図】図１
2020126696.tif 000002
【特許請求の範囲】
【請求項１】
表示部と、
複数の部品ごとの立体形状データと、複数の部品ごとの少なくとも重心に係る情報を含む関係情報と、前記複数の部品の組立図が記憶された記憶部と、
前記記憶部から前記組立図を読出し、前記表示部に表示する第１表示制御部と、
前記表示部に表示された前記組立図から前記複数の部品の一つを選択する選択部と、
前記選択された部品の立体形状に対応づけて前記関係情報に基づく前記選択された部品の重心の位置を前記表示部に表示する第２表示制御部と、
を備える情報表示装置。
【請求項２】
前記部品は配管モジュールである
請求項１に記載の情報表示装置。
【請求項３】
前記関係情報は前記部品の重量を示す情報をさらに含み、
前記第２表示制御部は、前記選択された部品の立体形状に対応づけて前記関係情報に基づく前記選択された部品の重心の位置を前記表示部に表示するとともに、前記関係情報に基づく重量を前記表示部に表示する
請求項１または２に記載の情報表示装置。
【請求項４】
前記選択部はタッチパネルである
請求項１から３のいずれか１項に記載の情報表示装置。
【請求項５】
前記選択部は、前記表示部に表示された前記組立図から一つまたは互いに隣接する複数の前記部品を選択し、
前記第２表示制御部は、前記選択された一つの部品の立体形状または複数の部品を組み合わせた立体形状に対応づけて前記関係情報に基づく前記選択された一つの部品の重心の位置または複数の部品を組み合わせたものの重心の位置を前記表示部に表示する
請求項１から４のいずれか１項に記載の情報表示装置。
【請求項６】
前記選択部は、隣接しない複数の前記部品の選択が指示された場合に、選択できない旨を前記表示部に表示する
請求項５に記載の情報表示装置。
【請求項７】
表示部と、
複数の部品ごとの立体形状データと、複数の部品ごとの少なくとも重心に係る情報を含む関係情報と、前記複数の部品の組立図が記憶された記憶部とを用いて、
前記記憶部から前記組立図を読出し、前記表示部に表示するステップと、
前記表示部に表示された前記組立図から前記複数の部品の一つを選択するステップと、
前記選択された部品の立体形状に対応づけて前記関係情報に基づく前記選択された部品の重心の位置を前記表示部に表示するステップと、
を含む情報表示方法。
【請求項８】
表示部と、
複数の部品ごとの立体形状データと、複数の部品ごとの少なくとも重心に係る情報を含む関係情報と、前記複数の部品の組立図が記憶された記憶部とを用いて、
前記記憶部から前記組立図を読出し、前記表示部に表示するステップと、
前記表示部に表示された前記組立図から前記複数の部品の一つを選択するステップと、
前記選択された部品の立体形状に対応づけて前記関係情報に基づく前記選択された部品の重心の位置を前記表示部に表示するステップと、
をコンピュータに実行させるプログラム。
【発明の詳細な説明】
【技術分野】
【０００１】
本開示は、情報表示装置、情報表示方法およびプログラムに関する。
【背景技術】
【０００２】
特許文献１には、詳細度に応じて階層的に特定部位の拡大図を表示する表示手段を有し、上位の図において次に表示させる下位の図を順次選択して所望の部分の拡大図を表示させ、拡大図に含まれる部品名を表示し、さらに、選択された部品に関する不具合内容の現象を示す現象用語等の一覧が表示され、現象用語等を指で触れて入力することができる情報入力装置が開示されている。
【先行技術文献】
【特許文献】
【０００３】
【特許文献１】特開平７−１４９２６８号公報
【発明の概要】
【発明が解決しようとする課題】
【０００４】
特許文献１に記載の情報入力装置では、タッチ操作のみで車両の全体図から所望の部品の拡大図までを選択して表示させることはできるが、例えば部品の重心等の部品の関係情報をタッチ操作のみで表示させることができないという課題があった。
【０００５】
本開示は、上記課題を解決するためになされたものであって、部品の重心等の部品の関係情報を簡単な操作で表示させることができる情報表示装置、情報表示方法およびプログラムを提供することを目的とする。
【課題を解決するための手段】
【０００６】
上記課題を解決するために、本開示に係る情報表示装置は、表示部と、複数の部品ごとの立体形状データと、複数の部品ごとの少なくとも重心に係る情報を含む関係情報と、前記複数の部品の組立図が記憶された記憶部と、前記記憶部から前記組立図を読出し、前記表示部に表示する第１表示制御部と、前記表示部に表示された前記組立図から前記複数の部品の一つを選択する選択部と、前記選択された部品の立体形状に対応づけて前記関係情報に基づく前記選択された部品の重心の位置を前記表示部に表示する第２表示制御部と、を備える。
【０００７】
本開示に係る情報表示方法は、表示部と、複数の部品ごとの立体形状データと、複数の部品ごとの少なくとも重心に係る情報を含む関係情報と、前記複数の部品の組立図が記憶された記憶部とを用いて、前記記憶部から前記組立図を読出し、前記表示部に表示するステップと、前記表示部に表示された前記組立図から前記複数の部品の一つを選択するステップと、前記選択された部品の立体形状に対応づけて前記関係情報に基づく前記選択された部品の重心の位置を前記表示部に表示するステップと、を含む。
【０００８】
本開示に係るプログラムは、表示部と、複数の部品ごとの立体形状データと、複数の部品ごとの少なくとも重心に係る情報を含む関係情報と、前記複数の部品の組立図が記憶された記憶部とを用いて、前記記憶部から前記組立図を読出し、前記表示部に表示するステップと、前記表示部に表示された前記組立図から前記複数の部品の一つを選択するステップと、前記選択された部品の立体形状に対応づけて前記関係情報に基づく前記選択された部品の重心の位置を前記表示部に表示するステップと、をコンピュータに実行させる。
【発明の効果】
【０００９】
本開示の情報表示装置、情報表示方法およびプログラムによれば、部品の重心等の部品の関係情報を簡単な操作で表示させることができる。
【図面の簡単な説明】
【００１０】
【図１】本開示の第１実施形態に係る情報表示装置の構成例を示すブロック図である。
【図２】図１に示す情報表示装置１の構成例を示す斜視図である。
【図３】図１に示す情報表示装置１の動作例を示すフローチャートである。
【図４】図１に示す表示部１２の表示例を示す模式図である。
【図５】図１に示す表示部１２の表示例を示す模式図である。
【図６】図１に示す表示部１２の表示例を示す模式図である。
【図７】図１に示す表示部１２の表示例を示す模式図である。
【図８】図１に示す表示部１２の表示例を示す模式図である。
【図９】本開示の第２実施形態に係る情報表示装置の構成例を示すブロック図である。
【図１０】図９に示す情報表示装置１ａの動作例を示すフローチャートである。
【図１１】図９に示す表示部１２の表示例を示す模式図である。
【図１２】図９に示す表示部１２の表示例を示す模式図である。
【図１３】図９に示す表示部１２の表示例を示す模式図である。
【図１４】図９に示す表示部１２の表示例を示す模式図である。
【図１５】図９に示す表示部１２の表示例を示す模式図である。
【図１６】図９に示す表示部１２の表示例を示す模式図である。
【図１７】図９に示す表示部１２の表示例を示す模式図である。
【図１８】少なくとも１つの実施形態に係るコンピュータの構成を示す概略ブロック図である。
【発明を実施するための形態】
【００１１】
＜第１実施形態＞
（情報表示装置の構成）
以下、本開示の第１実施形態に係る情報表示装置、情報表示方法およびプログラムについて、図１〜図８を参照して説明する。図１は、本開示の第１実施形態に係る情報表示装置の構成例を示すブロック図である。図２は、図１に示す情報表示装置１の構成例を示す斜視図である。図３は、図１に示す情報表示装置１の動作例を示すフローチャートである。図４〜図８は、図１に示す表示部１２の表示例を示す模式図である。なお、各図において同一または対応する構成には同一の符号を用いて説明を適宜省略する。
【００１２】
図１に示すように情報表示装置１は、例えば、図２に示すように、ホルダ１０２等を用いて操作者の腕１０１に装着することができるスマートフォン、タブレット端末等の内部にコンピュータ、記憶装置、入出力装置、通信装置等を備える端末である。情報表示装置１は、内部に備えるコンピュータ、記憶装置、入出力装置、通信装置等のハードウェアと、コンピュータが実行するプログラム等のソフトウェアとの組み合わせから構成される機能的構成として、制御部１１と、表示部１２と、選択部１３と、記憶部１４を備える。また、制御部１１は、第１表示制御部１１１と、第２表示制御部１１２を備える。記憶部１４は、選択用図面情報１４１と、配管部品情報１４２を含む。
【００１３】
表示部１２と選択部１３は、例えば図２に示すようにタッチパネル１ａとして一体的に構成されていて、画像を表示したり、操作者のタッチ操作による選択指示等の入力操作を受け付けたりする。また、選択部１３は、表示部１２に表示された組立図から複数の部品の一つを選択する機能を有する。
【００１４】
選択用図面情報１４１は、組み立てられた複数の部品から例えば１つの部品を選択する際に用いる図面情報と、各部品の立体形状を表す情報を含む。図面情報は、複数の部品の組立図を表す情報等を含む。本実施形態（および他の実施形態）において組立図は、複数の部品が組み立てられた状態を表す図面である。例えば組立図は、図４に組立図２０２として示すようにソリッドモデルで表されていてもよいし、例えば図１７に組立図４１２として示すように、複数の配管部品から構成されたアイソメトリックプロジェクション（等角投影図）等の立体図であってもよい。また、組立図は、サーフェスモデルで表されていてもよいし、あるいは、２次元の図面であってもよい。また、立体形状を表す情報は、例えば組立図２０２に含まれる複数の部品２０３ごとの図６に示すような立体形状データを表す情報を含む。
【００１５】
配管部品情報１４２は、複数の部品ごとの少なくとも重心に係る情報を含む関係情報を含む。重心に係る情報とは、部品を構成する材料の密度等、立体形状データ等を用いて部品の重心を計算する際に用いられる情報、既に計算された部品の重心を表す３次元座標情報等である。関係情報は、他に、例えば、部品の名称、部品の重量を表す情報、部品を包含する枠のサイズを表す情報等を含むことができる。
【００１６】
なお、本実施形態では、部品が、配管モジュールであるとする。ただし、本開示の適用範囲は配管モジュールに限定されない。なお、配管モジュールは、配管を構成する１つの配管部品と、スプール等を構成する複数の配管部品の組み合わせとを含む。スプールは、工場等で事前に組み立てられた状態で設置場所に搬入される部分配管のひとまとまり（一単位）である。また、配管部品は、例えば、管、管継手、弁、計器等の配管を構成する部品である。ただし、以下では配管部品を単に配管ともいう。
【００１７】
第１表示制御部１１１は、記憶部１４から組立図２０２を読出し、表示部１２に表示する。上述したように、選択部１３は、第１表示制御部１１１によって表示部１２に表示された組立図２０２から複数の部品２０３の一つを選択する。
【００１８】
第２表示制御部１１２は、選択された部品の立体形状に対応づけて関係情報に基づく選択された部品の重心の位置を表示部１２に表示する。なお、関係情報が部品の重量を示す情報を含む場合、第２表示制御部１１２は、選択された部品の立体形状に対応づけて関係情報に基づく選択された部品の重心の位置を表示部１２に表示するとともに、関係情報に基づく重量を表示部１２に表示する。
【００１９】
（情報表示装置の動作）
次に、図３に示すフローチャートと、図４〜図８に示す表示部１２の表示例（表示画面Ｄ１０〜Ｄ１４）を参照して、図１に示す情報表示装置１の動作例について説明する。図３に示す処理は、例えば情報表示装置１で所定のアプリケーションプログラム（以下、アプリという）が起動されたときに開始される。図３に示す処理が開始されると、第１表示制御部１１１は、例えば操作者が指定した部品の識別情報や組立図の図面番号等に基づき例えば図４に示すような組立図２０２を選択して表示する（ステップＳ１０１）。次に、第１表示制御部１１１は、例えば終了、取消および確認の３つの選択肢を表示して、表示した組立図２０２で確定してよいか否かの確認を操作者に対して要求する（ステップＳ１０２）。第１表示制御部１１１は、終了が選択された場合にアプリを終了し、取消が選択された場合に再度ステップＳ１０１で組立図を選択して表示し、確認が選択された場合に組立図を確定する（ステップＳ１０３）。
【００２０】
次に、選択部１３が、例えば図４に示す表示画面Ｄ１０を表示部１２に表示して、配管の選択を要求する（ステップＳ１０４）。図４に示す表示画面Ｄ１０は、「情報を表示する配管をタップしてください。」とのメッセージ２０１と、ステップＳ１０１で選択された組立図２０２と、組立図の再選択を指示する「ＢＡＣＫ」ボタン２０４を含む。選択部１３は、表示画面Ｄ１０で「ＢＡＣＫ」ボタン２０４が選択（タップ）された場合（ステップＳ１０５で「復帰指示」の場合）、ステップＳ１０１へ処理を戻す。あるいは、選択部１３は、表示画面Ｄ１０で選択（タップ）操作が行われない場合（ステップＳ１０５で「非選択」の場合）、配管の選択操作が行われるまで待機する（ステップＳ１０５で「非選択」の繰り返し）。また、選択部１３は、配管が選択（タップ）された場合（ステップＳ１０５で「選択」の場合）、図５に示すように選択された配管を選択状態で表示し（ステップＳ１０６）、選択された配管で確定してよいか否かの確認を操作者に対して要求する（ステップＳ１０７）。図５に示す表示画面Ｄ１１は、図４に示す表示画面Ｄ１０において配管２０３が選択（タップ）された後、選択された配管２０３の色を変更する（図５では網掛けで示す）ことで選択状態であることを示すとともに、「こちらの配管でよろしいですか？」というメッセージ２１１と、配管２０３の「排気管  ＃６」という名称２１４と、「ＢＡＣＫ」ボタン２１５と、「ＯＫ」ボタン２１６を表示する。
【００２１】
表示画面Ｄ１１で「ＢＡＣＫ」ボタン２１５が選択（タップ）された場合（ステップＳ１０８で「取消」の場合）、選択部１３が、配管の選択状態の表示を解除して（ステップＳ１１２）、図４に示す表示画面Ｄ１０を再度表示部１２に表示させる（ステップＳ１０４）。表示画面Ｄ１１で「ＯＫ」ボタン２１６が選択（タップ）された場合（ステップＳ１０８で「確認」の場合）、第２表示制御部１１２が、例えば、図６に表示画面Ｄ１２として示すように、選択された配管２０３の立体形状を表示するとともに、配管２０３の立体形状に対応づけて配管２０３の重心２２２の位置を表示する。なお、図６に示す表示画面Ｄ１２は、選択された配管２０３の立体形状と、配管２０３の関係情報２２３とを含む。この場合、関係情報２２３は、配管２０３の名称「排気管  ＃６」、配管２０３を包含する枠のサイズ「１００ｃｍ×６０ｃｍ×８０ｃｍ」と、配管２０３の重量「５４０ｋｇ」を表す情報を含む。また、図６に示す表示画面Ｄ１２は、「ＢＡＣＫ」ボタン２２４と、視点を変更するための４個のボタン２２５を含む。
【００２２】
第２表示制御部１１２は、例えば表示画面Ｄ１２でボタン２２５が操作された場合（ステップＳ１１０で「切替」の場合）、例えば、図７および図８に表示画面Ｄ１３および表示画面Ｄ１４として示すように、配管２０３の立体形状を視点を変えて表示させる（ステップＳ１１１）。一方、表示画面Ｄ１２等で「ＢＡＣＫ」ボタンが選択された場合（ステップＳ１１０で「表示終了」の場合）、選択部１３が、図４に示す表示画面Ｄ１０を再度表示部１２に表示させて配管の選択を要求する（ステップＳ１１３からステップＳ１０４）。
【００２３】
（作用・効果）
以上の動作によって、情報表示装置１は、部品の重心等の部品の関係情報を簡単な操作で表示させることができる。
【００２４】
本実施形態の情報表示装置１は、部品の重心を部品の立体形状に対応づけて表示するので、例えば分解点検等の際に部品をつり上げる工程において作業者に対して有用な情報を提供することができる。
【００２５】
＜第２実施形態＞
（情報表示装置の構成）
以下、本開示の第２実施形態に係る情報表示装置、情報表示方法およびプログラムについて、図９〜図１７を参照して説明する。図９は、本開示の第２実施形態に係る情報表示装置の構成例を示すブロック図である。図１０は、図９に示す情報表示装置１ａの動作例を示すフローチャートである。図１１〜図１７は、図９に示す表示部１２の表示例を示す模式図である。なお、各図において同一または対応する構成には同一の符号を用いて説明を適宜省略する。
【００２６】
なお、図９に示す第２実施形態の情報表示装置１ａは、図１に示す第１実施形態の情報表示装置１と比較して次の点が異なる。すなわち、図９に示す第２実施形態の情報表示装置１ａは、隣接する複数の部品を同時に選択して、隣接する複数の部品を組み合わせた立体形状に対応づけて、隣接する複数の部品を組み合わせたものの重心の位置を表示する機能を新たに有している。そのため、第２実施形態の情報表示装置１ａでは、図１に示す記憶部１４に対応する図９に示す記憶部１４ａが隣接情報１４３を新たに含む。隣接情報１４３は、組み立てられた状態で、複数の部品が互いに隣接しているか否を示す情報である。また、図１に示す選択部１３に対応する図９に示す選択部１３ａが、表示部１２に表示された組立図から一つまたは互いに隣接する複数の部品を選択する。また、図１に示す第２表示制御部１１２に対応する第２表示制御部１１２ａが、選択された一つの部品の立体形状または複数の部品を組み合わせた立体形状に対応づけて関係情報に基づく選択された一つの部品の重心の位置または複数の部品を組み合わせたものの重心の位置を表示部１２に表示する。なお、図１に示す制御部１０に対応する図９に示す制御部１０ａは、第２表示制御部１１２に代えて、第２表示制御部１１２ａを備えている。
【００２７】
（情報表示装置の動作）
次に、図１０に示すフローチャートと、図１１〜図１７に示す表示部１２の表示例（表示画面Ｄ２０〜Ｄ２５およびＤ３３）を参照して、図９に示す情報表示装置１ａの動作例について説明する。図１０に示す処理は、例えば情報表示装置１ａで所定のアプリが起動されたときに開始される。図１０に示す処理が開始されると、第１表示制御部１１１は、例えば操作者が指定した部品の識別情報や組立図の図面番号等に基づき例えば図１１に示すような組立図３０２を選択して表示する（ステップＳ２０１）。次に、第１表示制御部１１１は、例えば終了、取消および確認の３つの選択肢を表示して、表示した組立図３０２で確定してよいか否かの確認を操作者に対して要求する（ステップＳ２０２）。第１表示制御部１１１は、終了が選択された場合にアプリを終了し、取消が選択された場合に再度ステップＳ１０１で組立図を選択して表示し、確認が選択された場合に組立図を確定する（ステップＳ２０３）。
【００２８】
次に、選択部１３ａが、例えば図１１に示す表示画面Ｄ２０を表示部１２に表示して、配管部品の選択を要求する（ステップＳ２０４）。図１１に示す表示画面Ｄ２０は、「情報を表示する配管部品をタップしてください。」とのメッセージ３０１と、ステップＳ２０１で選択された組立図３０２と、組立図の再選択を指示する「ＢＡＣＫ」ボタン３０４を含む。選択部１３ａは、表示画面Ｄ２０で「ＢＡＣＫ」ボタン３０４が選択（タップ）された場合（ステップＳ２０５で「復帰指示」の場合）、ステップＳ２０１へ処理を戻す。あるいは、選択部１３ａは、表示画面Ｄ２０で選択（タップ）操作が行われない場合（ステップＳ２０５で「非選択」の場合）、配管部品の選択操作が行われるまで待機する（ステップＳ２０５で「非選択」の繰り返し）。また、選択部１３ａは、配管部品が選択（タップ）された場合（ステップＳ２０５で「選択」の場合）、図１２に示すように選択された配管を選択状態で表示し（ステップＳ２０６）、選択された配管で確定してよいか否かの確認を操作者に対して要求する（ステップＳ２０７）。図１２に示す表示画面Ｄ２１は、図１１に示す表示画面Ｄ２０において配管３０３が選択（タップ）された後、選択された配管３０３の色を変更する（図１２では網掛けで示す）ことで選択状態であることを示すとともに、「こちらの配管でよろしいですか？」というメッセージ３１１と、配管３０３の「排気管  ＃１０」という名称３１３と、「ＢＡＣＫ」ボタン３１４と、「ＯＫ」ボタン３１５を表示する。
【００２９】
表示画面Ｄ２１で「ＢＡＣＫ」ボタン３１４が選択（タップ）された場合（ステップＳ２０８で「取消」の場合）、選択部１３ａが、最後に選択された配管の選択状態の表示を解除して（ステップＳ２１３）、まだ選択状態の配管がある場合（ステップＳ２１４で「ＹＥＳ」の場合）、ステップＳ２０６へ処理を戻し、選択状態の配管がない場合（ステップＳ２１４で「ＮＯ」の場合）、ステップＳ２０４へ処理を戻す。
【００３０】
表示画面Ｄ２１ですでに配管が選択されている状態でさらに他の配管が選択（タップ）された場合（ステップＳ２０８で「追加」の場合）、選択部１３ａは、隣接情報１４３を参照し、追加で選択された配管がすでに選択状態となっている配管に隣接しているか否かを判定する（ステップＳ２１５）。
【００３１】
追加で選択された配管がすでに選択状態となっている配管に隣接している場合（ステップＳ２１５で「ＹＥＳ」の場合）、選択部１３ａは、追加で選択された配管部品を選択状態の配管部品として追加で選択し（ステップＳ２１６）、図１３に示すように選択された配管を選択状態で表示し（ステップＳ２０６）、選択された配管で確定してよいか否かの確認を操作者に対して要求する（ステップＳ２０７）。
【００３２】
図１３に示す表示画面Ｄ２２は、すでに配管３０３が選択されている状態で、さらに配管３２２が追加で選択（タップ）された後、選択された配管３２２の色を変更する（図１３では網掛けで示す）ことで選択状態であることを示すとともに、「こちらの配管でよろしいですか？」というメッセージ３２１と、配管３０３と配管３２２の「排気管  ＃１０＋排気管  ＃１１」という名称３２３と、「ＢＡＣＫ」ボタン３２４と、「ＯＫ」ボタン３２５を表示する。
【００３３】
表示画面Ｄ２２で「ＯＫ」ボタン３２５が選択（タップ）された場合（ステップＳ２０８で「確認」の場合）、第２表示制御部１１２ａが、例えば、図１４に表示画面Ｄ２３として示すように、選択された配管３０２と配管３２２を組み合わせた構成３３１の立体形状を表示するとともに、構成３３１の立体形状に対応づけて構成３３１の重心３３２の位置を表示する。なお、図１４に示す表示画面Ｄ２３は、選択された配管３０２と配管３２２を組み合わせた構成３３１の立体形状と、配管３０２と配管３２２を組み合わせた構成３３１の関係情報３３３とを含む。この場合、関係情報３３３は、構成３３１の名称「排気管  ＃１０＋排気管  ＃１１」、構成３３１を包含する枠のサイズ「１００ｃｍ×６０ｃｍ×８０ｃｍ」と、構成３３１の重量「７６０ｋｇ」を表す情報を含む。また、図１４に示す表示画面Ｄ２３は、「ＢＡＣＫ」ボタン３３４と、視点を変更するための４個のボタン３３５を含む。
【００３４】
第２表示制御部１１２ａは、例えば表示画面Ｄ２３でボタン３３５が操作された場合（ステップＳ２１０で「切替」の場合）、例えば、図１５および図１６に表示画面Ｄ２４および表示画面Ｄ２５として示すように、構成３３１の立体形状を視点を変えて表示させる（ステップＳ２１１）。一方、表示画面Ｄ２３等で「ＢＡＣＫ」ボタン３３４が選択された場合（ステップＳ２１０で「表示終了」の場合）、選択部１３ａが、図１１に示す表示画面Ｄ２０を再度表示部１２に表示させて配管の選択を要求する（ステップＳ２１２からステップＳ２０４）。
【００３５】
他方、追加で選択された配管がすでに選択状態となっている配管に隣接していない場合（ステップＳ２１５で「ＮＯ」の場合）、選択部１３ａは、例えば図１７に示すように追加選択できない旨を表示した後（ステップＳ２１７）、復帰指示の入力を待機し（ステップＳ２１８で「ＮＯ」の繰り返し）、復帰指示が入力された場合（ステップＳ２１８で「ＹＥＳ」の場合）、処理をステップＳ２０６へ戻す。
【００３６】
図１７は、ステップＳ２１７での表示画面Ｄ３３の一例を示す。表示画面Ｄ３３は、組立図４１２において配管４２２が選択状態とされた後に、配管４２２に隣接していない配管４３１が選択された後の表示画面の例である。表示画面Ｄ３３は、組立図４１２と、「ＢＡＣＫ」ボタン４３３と、配管４２２の名称「排気管  ＃２０」４３２とを含む。「ＢＡＣＫ」ボタン４３３は、ステップＳ２１８で復帰を指示するためのボタンである。
【００３７】
（作用・効果）
以上の動作によって、情報表示装置１ａは、部品の重心等の部品の関係情報を簡単な操作で表示させることができる。また、情報表示装置１ａは、複数の部品を選択する際に、隣接していない部品同士を選択することを防止するので、誤選択を防止することができる。
【００３８】
（その他の実施形態）
以上、本開示の実施の形態について図面を参照して詳述したが、具体的な構成はこの実施の形態に限られるものではなく、本開示の要旨を逸脱しない範囲の設計変更等も含まれる。例えば、図４に示す表示画面Ｄ１０において、組立図２０２の視点を変えられるようにすること等ができる。
【００３９】
〈コンピュータ構成〉
図１８は、少なくとも１つの実施形態に係るコンピュータの構成を示す概略ブロック図である。
コンピュータ９０は、プロセッサ９１、メインメモリ９２、ストレージ９３、インタフェース９４を備える。
上述の情報表示装置１および１ａは、コンピュータ９０に実装される。そして、上述した各処理部の動作は、プログラムの形式でストレージ９３に記憶されている。プロセッサ９１は、プログラムをストレージ９３から読み出してメインメモリ９２に展開し、当該プログラムに従って上記処理を実行する。また、プロセッサ９１は、プログラムに従って、上述した各記憶部に対応する記憶領域をメインメモリ９２に確保する。
【００４０】
プログラムは、コンピュータ９０に発揮させる機能の一部を実現するためのものであってもよい。例えば、プログラムは、ストレージに既に記憶されている他のプログラムとの組み合わせ、または他の装置に実装された他のプログラムとの組み合わせによって機能を発揮させるものであってもよい。なお、他の実施形態においては、コンピュータは、上記構成に加えて、または上記構成に代えてＰＬＤ（Programmable Logic Device）などのカスタムＬＳＩ（Large Scale Integrated Circuit）を備えてもよい。ＰＬＤの例としては、ＰＡＬ(Programmable Array Logic)、ＧＡＬ(Generic Array Logic)、ＣＰＬＤ(Complex Programmable Logic Device)、ＦＰＧＡ（Field Programmable Gate Array）が挙げられる。この場合、プロセッサによって実現される機能の一部または全部が当該集積回路によって実現されてよい。
【００４１】
ストレージ９３の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。ストレージ９３は、コンピュータ９０のバスに直接接続された内部メディアであってもよいし、インタフェース９４または通信回線を介してコンピュータ９０に接続される外部メディアであってもよい。また、このプログラムが通信回線によってコンピュータ９０に配信される場合、配信を受けたコンピュータ９０が当該プログラムをメインメモリ９２に展開し、上記処理を実行してもよい。少なくとも１つの実施形態において、ストレージ９３は、一時的でない有形の記憶媒体である。 
【００４２】
＜付記＞
各実施形態に記載の情報表示装置１および１ａは、例えば以下のように把握される。
【００４３】
（１）第１の態様に係る情報表示装置１および１ａは、表示部１２と、複数の部品ごとの立体形状データと、複数の部品ごとの少なくとも重心に係る情報を含む関係情報と、前記複数の部品の組立図が記憶された記憶部１４と、前記記憶部１４から前記組立図を読出し、前記表示部に表示する第１表示制御部１１１と、前記表示部に表示された前記組立図から前記複数の部品の一つを選択する選択部１３または１３ａと、前記選択された部品の立体形状に対応づけて前記関係情報に基づく前記選択された部品の重心の位置を前記表示部に表示する第２表示制御部１１２または１１２ａを備える。この構成によれば、部品の重心等の部品の関係情報を簡単な操作で表示させることができる。
【００４４】
（２）第２の態様に係る情報表示装置１および１ａは、（１）の情報表示装置１および１ａであって、前記部品は配管モジュールである。この構成によれば、例えば配管モジュールのつり上げ工程において部品の重心等の部品の関係情報を簡単な操作で表示させることができる。
【００４５】
（３）第３の態様に係る情報表示装置１および１ａは、（１）または（２）の情報表示装置１および１ａであって、前記関係情報は前記部品の重量を示す情報をさらに含み、前記第２表示制御部１１２または１１２ａは、前記選択された部品の立体形状に対応づけて前記関係情報に基づく前記選択された部品の重心の位置を前記表示部１２に表示するとともに、前記関係情報に基づく重量を前記表示部１２に表示する。
【００４６】
（４）第４の態様に係る情報表示装置１および１ａは、（１）〜（３）の情報表示装置１および１ａであって、前記選択部１３および１３ａはタッチパネルである。
【００４７】
（５）第５の態様に係る情報表示装置１ａは、（１）〜（４）の情報表示装置１ａであって、前記選択部１３ａは、前記表示部１２に表示された前記組立図から一つまたは互いに隣接する複数の前記部品を選択し、前記第２表示制御部１１２ａは、前記選択された一つの部品の立体形状または複数の部品を組み合わせた立体形状に対応づけて前記関係情報に基づく前記選択された一つの部品の重心の位置または複数の部品を組み合わせたものの重心の位置を前記表示部１２に表示する。
【００４８】
（６）第６の態様に係る情報表示装置１ａは、（５）の情報表示装置１ａであって、前記選択部１３ａは、隣接しない複数の前記部品の選択が指示された場合に、選択できない旨を前記表示部１２に表示する。
【符号の説明】
【００４９】
１、１ａ  情報表示装置
１１、１１ａ  制御部
１２  表示部
１３、１３ａ  選択部
１４、１４ａ  記憶部
１１１  第１表示制御部
１１２、１１２ａ  第２表示制御部
１４１  選択用図面情報
１４２  配管部品情報
１４３  隣接部品情報
【図１】
2020126696.tif 000003
【図２】
2020126696.tif 000004
【図３】
2020126696.tif 000005
【図４】
2020126696.tif 000006
【図５】
2020126696.tif 000007
【図６】
2020126696.tif 000008
【図７】
2020126696.tif 000009
【図８】
2020126696.tif 000010
【図９】
2020126696.tif 000011
【図１０】
2020126696.tif 000012
【図１１】
2020126696.tif 000013
【図１２】
2020126696.tif 000014
【図１３】
2020126696.tif 000015
【図１４】
2020126696.tif 000016
【図１５】
2020126696.tif 000017
【図１６】
2020126696.tif 000018
【図１７】
2020126696.tif 000019
【図１８】
2020126696.tif 000020